(57)【要約】【課題】            ＯＳＤを画面上に表示する際に、ＭＰＥＧ映像と重なりやすいという問題があった。【解決手段】        画像プレーンを保持するフレームバッファと、受像画面に対する前記ＯＳＤ表示情報を表示するＯＳＤ表示枠候補を出力するＯＳＤ表示枠候補出力部と、このＯＳＤ表示枠候補出力部が出力したＯＳＤ表示枠候補と前記受像画面における黒レベル部との重なり度を算出する黒レベル検出部と、ＯＳＤ表示情報を出力するＯＳＤ情報管理部と、前記黒レベル検出部が算出した黒レベル部との重なり度に基づいて前記ＯＳＤ表示枠候補出力部が出力したＯＳＤ表示枠候補の中からＯＳＤ表示位置を決定するＯＳＤ表示位置決定部と、前記ＯＳＤ表示位置決定部が決定したＯＳＤ表示位置に基づいて前記ＯＳＤ表示情報のＯＳＤ表示枠を前記フレームバッファが保持する画像プレーンに合成する合成部とを備えた。【選択図】          図１
2009171300.tif 000002
【特許請求の範囲】
【請求項１】
画像プレーンを保持するフレームバッファと、
受像画面に対する前記ＯＳＤ表示情報を表示するＯＳＤ表示枠候補を出力するＯＳＤ表示枠候補出力部と、
このＯＳＤ表示枠候補出力部が出力したＯＳＤ表示枠候補と前記受像画面における黒レベル部との重なり度を算出する黒レベル検出部と、
ＯＳＤ表示情報を出力するＯＳＤ情報管理部と、
前記黒レベル検出部が算出した黒レベル部との重なり度に基づいて前記ＯＳＤ表示枠候補出力部が出力したＯＳＤ表示枠候補の中からＯＳＤ表示位置を決定するＯＳＤ表示位置決定部と、
前記ＯＳＤ表示位置決定部が決定したＯＳＤ表示位置に基づいて前記ＯＳＤ表示情報のＯＳＤ表示枠を前記フレームバッファが保持する画像プレーンに合成する合成部と
を備えることを特徴とするＯＳＤ表示位置決定システム。
【請求項２】
受信された符号化情報を復号済み映像に復号するビデオデコーダと、
このビデオデコーダが復号した復号済み映像を含む画像プレーンを保持するフレームバッファと、
前記受信された符号化情報を保持するバッファと、
受像画面に対する分割画面枠の受像画面分割情報を出力する受像画面分割部と、
この受像画面分割部が出力する分割画面枠の受像画面分割情報に基づいて受像画面を分割したそれぞれの分割画面枠において黒レベル部との重なり度を算出する黒レベル検出部と、
前記受像画面分割部が出力する分割画面枠の受像画面分割情報に基づいて受像画面を分割したそれぞれの分割画面枠においてエッジ検出度を算出するエッジ検出部と、
ＯＳＤ表示情報を出力するＯＳＤ情報管理部と、
前記黒レベル検出部が算出した黒レベル部との重なり度と前記エッジ検出部が算出したエッジ検出度に基づいてＯＳＤ表示位置とする分割画面枠を決定するＯＳＤ表示位置決定部と、
前記ＯＳＤ表示位置決定部が決定したＯＳＤ表示位置とする分割画面枠に、前記ＯＳＤ情報管理部が出力したＯＳＤ表示情報を示すＯＳＤを生成するＧＵＩ処理部と、
このＧＵＩ処理部が生成したＯＳＤを含むＧＵＩプレーンの描画処理を行なうグラフィックス処理部と、
このグラフィックス処理部が描画処理したＯＳＤを含むＧＵＩプレーンと前記フレームバッファが保持した復号済み映像を含む画像プレーンを合成した映像を出力するＯＳＤ合成部と
を備えることを特徴とするＯＳＤ表示位置決定システム。
【請求項３】
前記ＯＳＤ情報管理部は、前記ＯＳＤ表示情報とともに、該ＯＳＤ表示情報の優先度を出力し、
前記ＯＳＤ表示位置決定部は、前記黒レベル検出部が算出した黒レベル部との重なり度と前記エッジ検出部が算出したエッジ検出度と前記ＯＳＤ情報管理部が出力したＯＳＤ表示情報の優先度に基づいてＯＳＤ表示位置とする分割画面枠を決定する
ことを特徴とする請求項２記載のＯＳＤ表示位置決定システム。
【請求項４】
前記ＯＳＤ情報管理部は、前記ＯＳＤ表示情報とともに、該ＯＳＤ表示情報の優先度を出力し、
前記受像画面分割部は、前記ＯＳＤ情報管理部が出力したＯＳＤ表示情報の優先度に対応した分割画面枠の受像画面分割情報を出力する
ことを特徴とする請求項２記載のＯＳＤ表示位置決定システム。
【請求項５】
前記ＯＳＤ情報管理部は、ＯＳＤ表示位置の履歴を保持して出力し、
前記ＯＳＤ表示位置決定部は、前記黒レベル検出部が算出した黒レベル部との重なり度と前記エッジ検出部が算出したエッジ検出度と前記ＯＳＤ情報管理部が出力したＯＳＤ表示情報の優先度に基づいてＯＳＤ表示位置とする分割画面枠を決定し、この決定したＯＳＤ表示位置とする分割画面枠が上記ＯＳＤ情報管理部が出力した履歴に基づくＯＳＤ表示位置とする分割画面枠と同一の優先度のグループに含まれるとき、上記ＯＳＤ情報管理部が出力した履歴に基づくＯＳＤ表示位置とする分割画面枠をＯＳＤ表示位置に決定する
ことを特徴とする請求項３または請求項４記載のＯＳＤ表示位置決定システム。
【請求項６】
上記ＯＳＤ表示位置決定部は、前記黒レベル検出部が算出した黒レベル部との重なり度と前記エッジ検出部が算出したエッジ検出度から分割画面枠の表示位置評価値を算出し、算出した分割画面枠の表示位置評価値に基づいてＯＳＤ表示位置とする分割画面枠を決定する
ことを特徴とする請求項２乃至請求項５のいずれかに記載のＯＳＤ表示位置決定システム。
【請求項７】
上記請求項１乃至請求項６のいずれかに記載のＯＳＤ表示位置決定システムを備え、受信映像にＯＳＤ表示情報を示すＯＳＤを重畳して表示するデジタルテレビ受信機。
【発明の詳細な説明】
【技術分野】
【０００１】
この発明は、デジタルテレビ受信機の受像画面にＯＳＤを重畳するＯＳＤ表示位置決定システムに関するものである。
【背景技術】
【０００２】
従来のＯＳＤ表示位置決定システムとしては、ＤＶＤビデオ再生中に、ＭＰＥＧ映像からなるメニュー画面の項目等と重なることなくオンスクリーン表示（On Screen Display。以下、ＯＳＤという）を表示画面上に表示させるものがある（例えば、特許文献１）。
【０００３】
この従来のＯＳＤ表示位置決定システムでは、文字、数字及び符号等（以下、これらをまとめて記号という。）の検出のためにＭＰＥＧデータの解析を行い、記号の表示領域と異なるようにＯＳＤの表示位置を制御することにより、メインメニュー画面のメニュー項目、タイトル等のその他の記号、及び背景画の絵等と重ならないようにＯＳＤを表示画面上に表示する。
【０００４】
【特許文献１】特開２００３−１３１６５６号公報
【発明の開示】
【発明が解決しようとする課題】
【０００５】
従来のＯＳＤ表示位置決定システムでは、背景技術で説明したように、メニュー画面の項目等がＭＰＥＧ映像における記号の表示領域と異なるように制御してＯＳＤを表示画面上に表示するが、ＯＳＤの有効な表示画面として表示画面の上下もしくは左右にある無映像部である黒レベル部を対象としていないため、メニュー画面の項目等がＭＰＥＧ映像と重なりやすいという問題点がある。
【０００６】
この発明は、上述のような課題を解決するためになされたもので、ＯＳＤの有効な表示画面として黒レベル部まで含めた受像画面全体を対象とすることにより、デジタルテレビ受信機の受信した映像に含まれる記号と重ならない位置にＯＳＤを重畳して表示することを目的とする。
【課題を解決するための手段】
【０００７】
この発明に係るＯＳＤ表示位置決定システムは、画像プレーンを保持するフレームバッファと、受像画面に対する前記ＯＳＤ表示情報を表示するＯＳＤ表示枠候補を出力するＯＳＤ表示枠候補出力部と、このＯＳＤ表示枠候補出力部が出力したＯＳＤ表示枠候補と前記受像画面における黒レベル部との重なり度を算出する黒レベル検出部と、ＯＳＤ表示情報を出力するＯＳＤ情報管理部と、前記黒レベル検出部が算出した黒レベル部との重なり度に基づいて前記ＯＳＤ表示枠候補出力部が出力したＯＳＤ表示枠候補の中からＯＳＤ表示位置を決定するＯＳＤ表示位置決定部と、前記ＯＳＤ表示位置決定部が決定したＯＳＤ表示位置に基づいて前記ＯＳＤ表示情報のＯＳＤ表示枠を前記フレームバッファが保持する画像プレーンに合成する合成部とを備えたものである。
【０００８】
また、この発明に係るＯＳＤ表示位置決定システムは、受信された符号化情報を復号済み映像に復号するビデオデコーダと、このビデオデコーダが復号した復号済み映像を含む画像プレーンを保持するフレームバッファと、前記受信された符号化情報を保持するバッファと、受像画面に対する分割画面枠の受像画面分割情報を出力する受像画面分割部と、この受像画面分割部が出力する分割画面枠の受像画面分割情報に基づいて受像画面を分割したそれぞれの分割画面枠において黒レベル部との重なり度を算出する黒レベル検出部と、前記受像画面分割部が出力する分割画面枠の受像画面分割情報に基づいて受像画面を分割したそれぞれの分割画面枠においてエッジ検出度を算出するエッジ検出部と、ＯＳＤ表示情報を出力するＯＳＤ情報管理部と、前記黒レベル検出部が算出した黒レベル部との重なり度と前記エッジ検出部が算出したエッジ検出度に基づいてＯＳＤ表示位置とする分割画面枠を決定するＯＳＤ表示位置決定部と、前記ＯＳＤ表示位置決定部が決定したＯＳＤ表示位置とする分割画面枠に、前記ＯＳＤ情報管理部が出力したＯＳＤ表示情報を示すＯＳＤを生成するＧＵＩ処理部と、このＧＵＩ処理部が生成したＯＳＤを含むＧＵＩプレーンの描画処理を行なうグラフィックス処理部と、このグラフィックス処理部が描画処理したＯＳＤを含むＧＵＩプレーンと前記フレームバッファが保持した復号済み映像を含む画像プレーンを合成した映像を出力するＯＳＤ合成部とを備えたものである。
【発明の効果】
【０００９】
この発明によれば、映像との重なり度を反映した位置にＯＳＤの表示位置を決定することができる効果がある。
【発明を実施するための最良の形態】
【００１０】
この発明に係るＯＳＤ表示位置決定システムにおいて、映像に含まれる記号と重ならない位置にＯＳＤを重畳して表示する構成及び方法について説明する。
【００１１】
実施の形態１．
この発明の実施の形態１では、受像画面分割部、黒レベル検出部、エッジ検出部、ＯＳＤ情報管理部およびＯＳＤ表示位置決定部からなり、重なり度とエッジ検出度に基づいて、ＯＳＤ表示位置とする分割画面枠を決定するＯＳＤ表示位置決定システムの一例について説明する。
【００１２】
図１は、この発明の実施の形態１におけるＯＳＤ表示位置決定システムに係る構成の一例を示すブロック図である。
【００１３】
この図１において、ビデオデコーダ１０１は、受信された符号化映像データ（以下、符号化情報という）を復号済み映像に復号する。フレームバッファ１０２は、ビデオデコーダ１０１が復号した復号済み映像を含む画像プレーンを保持する。バッファ１０３は、受信された符号化情報を保持する。受像画面分割部１０４は、受像画面に対するＯＳＤ表示枠の候補を出力するＯＳＤ表示枠候補出力部であり、この例では受像画面に対する受像画面分割情報を出力する。黒レベル検出部１０５は、受像画面分割部１０４が出力する受像画面分割情報に基づいて受像画面を分割したそれぞれの分割画面枠においてＯＳＤを配置した場合の、黒レベル部との重なり度を算出する。エッジ検出部１０６は、受像画面分割部１０４が出力する受像画面分割情報に基づいて受像画面を分割したそれぞれの分割画面枠においてエッジ検出度を算出する。ＯＳＤ情報管理部１０７ａは、検知された異常等を通知されることで表示すべきＯＳＤ情報（表示情報）を出力する。ＯＳＤ表示位置決定部１０８ａは、黒レベル検出部１０５が算出した黒レベル部との重なり度とエッジ検出部１０６が算出したエッジ検出度に基づいてＯＳＤ表示位置とする分割画面枠を決定する。ＧＵＩ（Graphical User Interface）処理部１０９は、ＯＳＤ表示位置決定部１０８ａが決定したＯＳＤ表示位置にＯＳＤ情報管理部１０７ａが出力したＯＳＤ表示情報を示すＯＳＤを生成する。グラフィックス処理部１１０は、ＧＵＩ処理部１０９が生成したＯＳＤを含むＧＵＩプレーンの描画処理を行なう。ＯＳＤ合成部１１１は、グラフィックス処理部１１０が描画処理したＯＳＤを含むＧＵＩプレーンと、フレームバッファ１０２が保持した復号済み映像を含む画像プレーンを合成し、ＯＳＤを重畳した映像を出力する。合成部２０１は、このＧＵＩ処理部１０９、グラフィックス処理部１１０、ＯＳＤ合成部１１１から構成され、画像プレーンにＯＳＤを合成した映像を出力する。
【００１４】
図２は、この発明の実施の形態１における受像画面を分割した分割画面枠の一例とＯＳＤ表示の概念を示す説明図である。この図２では、黒レベル部も含めた受像画面を同一サイズの分割画面枠に１２分割するものとして表している。分割画面枠内の数字が枠番号を示す。
【００１５】
なお、図２においては、ＯＳＤ表示のための分割画面枠を隙間なく並べているが、所定サイズの分割画面枠を候補として、受像画面上に配置を定義できればよい。受像画面上に分割画面枠に割り当てられない領域があってもよいし、また重なりがあっても構わない。この所定のサイズは、例えばＯＳＤ表示情報の表示文字数や記号数、画像サイズによって決めてもよい。
【００１６】
以下の説明では、図２のとおり、受像画面を１２分割したものとして説明する。
【００１７】
図３は、この発明の実施の形態１におけるＯＳＤ表示位置決定システムに係るＯＳＤ表示位置決定処理手順の一例を示すフローチャート図である。この図３を用いて、この発明の実施の形態１におけるＯＳＤ表示位置決定システムの詳細動作を説明する。なお、この図３のフローチャート図には処理過程の図示を省略するが、ビデオデコーダが、受信された符号化情報を復号済み映像に復号し、フレームバッファが、この復号済み映像を含む画像プレーン（図３のフローチャート図にて参照）を保持するものとする。
【００１８】
まず、ステップＳＴ２０１において、ＯＳＤ表示する情報があるか否かを判定する。ＯＳＤ表示する情報がある場合、ステップＳＴ２０２において、映像を受信してバッファに保持する。ステップＳＴ２０３からステップＳＴ２０６では、受像画面分割部は１２分割された分割画面枠ｉ（１≦ｉ≦１２）を指定して、その指定時に受像画面分割部が出力する分割画面枠ｉの受像画面分割情報から、黒レベル検出部は黒レベル部の重なり度ｘ＿ｉを算出し、エッジ検出部はエッジ検出度ｙ＿ｉを算出する。ステップＳＴ２０７ａにおいて、ＯＳＤ表示位置決定部は、受像画面分割部が指定した分割画面枠ｉと、その分割画面枠に対して算出された重なり度ｘ＿ｉと、エッジ検出度ｙ＿ｉとに基づいて表示位置評価値をそれぞれ算出する。ステップＳＴ２０８ａにおいて、ＯＳＤ表示位置決定部は、分割画面枠ｉ（１≦ｉ≦１２）の各表示位置評価値に基づいてＯＳＤ表示位置とする分割画面枠を決定する。
【００１９】
ステップＳＴ２０９において、ＧＵＩ処理部は、ＯＳＤ表示位置決定部が決定したＯＳＤ表示位置とする分割画面枠に基づくＯＳＤ表示位置に、ＯＳＤ情報管理部が出力した表示情報を示すＯＳＤを生成する。ステップＳＴ２１０において、グラフィックス処理部は、ＧＵＩ処理部が生成したＯＳＤを含むＧＵＩプレーンの描画処理を行なう。ステップＳＴ２１１において、ＯＳＤ合成部は、グラフィックス処理部が描画処理したＯＳＤを含むＧＵＩプレーンと、フレームバッファに保持された復号済み映像を含む画像プレーンを合成し、ＯＳＤを重畳した映像を出力する。
【００２０】
ここで、ステップＳＴ２０９において、ＧＵＩ処理部は、ステップＳＴ２０１における判定でＯＳＤ表示する情報がない場合にはＯＳＤを生成せず、ステップＳＴ２１０において、グラフィックス処理部は、ＯＳＤを含まないＧＵＩプレーンの描画処理を行なう。ステップＳＴ２１１において、グラフィックス処理部が描画処理したＯＳＤを含まないＧＵＩプレーンと、フレームバッファに保持された復号済み映像を含む画像プレーンを合成し、ＯＳＤを重畳しない映像を出力する。このように、ＯＳＤ表示する情報がないときには、ＯＳＤ表示位置とされた分割画面枠は、他のＯＳＤ表示位置とされなかった分割画面枠と同様に扱われる。
【００２１】
なお、この図３のフローチャート図において、破線で囲んだ範囲のステップＳＴ２０１からステップＳＴ２０８ａの説明は、図１のブロック図において、破線で囲んだ範囲の処理ブロックの動作に相当する。
【００２２】
また、ステップＳＴ２０３からステップＳＴ２０６では、重なり度ｘ＿ｉとエッジ検出度ｙ＿ｉを分割画面枠１から１２まで順に算出するものとして説明しているが、全分割画面枠ｉの重なり度ｘ＿ｉとエッジ検出度ｙ＿ｉを算出する一例を示すものであって、例えば画面走査の方向から分割画面枠１から４まで、５から８まで、９から１２までを横断的に並列に算出しても、分割画面枠１から１２までを並列に算出するようにしても構わない。
【００２３】
また、ステップＳＴ２０１の判定によって、ＯＳＤ表示する情報がないときに、ステップＳＴ２０２からステップＳＴ２０８ａの処理が行われないように説明したが、ＯＳＤ表示する情報の有無に関わらず、ステップＳＴ２０２からステップＳＴ２０８ａの処理を行ってＯＳＤ表示位置とする分割画面枠を一旦決定し、ＯＳＤ表示する情報がなければ適用しない構成にしてもよい。
【００２４】
このように、この発明の実施の形態１では、分割画面枠ｉ（１≦ｉ≦１２）の重なり度とエッジ検出度をすべて算出して表示位置評価値を算出し、そのすべての分割画面枠を候補として表示位置評価値が最小となる分割画面枠をＯＳＤ表示位置として決定することで、画面上に表示された映像に含まれる記号と重ならない位置にＯＳＤを重畳して表示することができる。
【００２５】
このような手順で、１２分割された分割画面枠ｉ（１≦ｉ≦１２）ごとに、黒レベル検出部が算出した黒レベル部の重なり度ｘ＿ｉと、エッジ検出部が算出したエッジ検出度ｙ＿ｉを用いて、表示位置評価値（−α×ｘ＿ｉ＋β×ｙ＿ｉ）を算出する。なお、この表示位置評価値を示す式中の係数α、βは、通常α＞０、β≧０で示される値を設定するものとし、ここではα＝β＝１として説明する。そして、表示位置評価値（−ｘ＿ｉ＋ｙ＿ｉ）が最小となるｉを検索し、その分割画面枠ｉを適正なＯＳＤ表示位置とする。
【００２６】
ここで、表示位置評価値を示す式中の係数β＝０を設定した場合には、黒レベル部の重なり度ｘ＿ｉのみを反映した表示位置評価値を求めることができ、これはエッジ検出部を設けずに黒レベル部のみを設けた構成に相当するものとなる。
【００２７】
ここで、黒レベル検出部が算出する値ｘ＿ｉは、分割画面枠ｉにおけるＯＳＤと黒レベル部の重なり度を示し、分割画面枠ｉにＯＳＤを表示する際に黒レベル部に位置するＯＳＤの面積の割合であり、０≦ｘ＿ｉ≦１とする。
【００２８】
また、エッジ検出部が算出する値ｙ＿ｉは、分割画面枠ｉのエッジ検出度を示し、０≦ｙ＿ｉ≦１に正規化した値とする。
【００２９】
エッジ検出度ｙ＿ｉの算出について説明する。符号化情報がＤＣＴ変換（離散コサイン変換）を使用した映像であれば、各分割画面枠での符号化情報からＤＣＴ係数の値を利用して算出する。例えば、分割画面枠ｉ内に含まれる各ＤＣＴブロックの符号化情報から所定の条件｛Ａ（ｕ，ｖ）｜ｕ＞thread_u，ｖ＞thread_v｝に当てはまる水平周波数成分ｕ、垂直周波数成分ｖのＤＣＴ係数Ａ（ｕ，ｖ）を参照して、分割画面枠ｉ内に含まれる全ＤＣＴブロック（Ｋ個とする）における高周波数成分のＤＣＴ係数の２乗和の総和としてＹｉを算出するとともに、さらにＹｉ値を全分割画面枠１から１２のＹｉ値の総和ΣＹｉで正規化し、エッジ検出度ｙ＿ｉを求める（式１）。
【００３０】
【数１】
2009171300.tif 000003
【００３１】
このように、エッジ検出部は、各Ｙｉの総和が判明した後に各Ｙｉを正規化して、エッジ検出度ｙ＿ｉをＯＳＤ表示位置決定部へ出力する。また、エッジ検出部は、ＯＳＤ表示位置決定部へ各Ｙｉを出力し、ＯＳＤ表示位置決定部が各Ｙｉの総和でエッジ検出度ｙ＿ｉに正規化する構成としてもよい。
【００３２】
図４は、８×８サイズのＤＣＴブロックとＹｉ値の算出のために参照する高周波数成分の例を示す説明図である。ＤＣＴ係数Ａ（０，０）を低周波数（直流）成分として、ｕ、ｖが大きくなるほどそれぞれ高周波数（交流）成分とする。ここでは、一例として、上記所定の条件においてthread_u＝thread_v＝５としたときに参照される成分であるＤＣＴ係数Ａ（ｕ，ｖ）の範囲を図４（ａ）に斜線部として示す。なお、所定の条件は、上記｛Ａ（ｕ，ｖ）｜ｕ＞thread_u，ｖ＞thread_v｝に限らず、例えば｛Ａ（ｕ，ｖ）｜ｕ＋ｖ＞thread_uv｝のような条件を適用しても構わない。thread_uv＝９としたときに参照される成分であるＤＣＴ係数Ａ（ｕ，ｖ）の範囲を図４（ｂ）に斜線部として示す。また、上記｛Ａ（ｕ，ｖ）｜ｕ＞thread_u，ｖ＞thread_v｝は、ｕ、ｖを「ｕ＞thread_uまたはｖ＞thread_v」としたが、「ｕ＞thread_uかつｖ＞thread_v」（図示せず）としても構わない。さらに、図４（ａ）と図４（ｂ）のいずれかが成立するときというような複数条件を組み合わせた条件を適用した範囲を参照してもよく、また参照するＤＣＴ係数Ａ（０，０）から図中４５度右下がりの軸に対称に参照範囲を設定しなくてもよい。
【００３３】
このように、この発明の実施の形態１では、映像との重なり度を反映した位置にＯＳＤの表示位置を決定することができる効果がある。そして、分割画面枠の重なり度とエッジ検出度を算出して表示位置評価値を算出して表示位置評価値が最小となる分割画面枠をＯＳＤ表示位置として決定するので、画面上に表示された映像に含まれる記号と重ならない位置にＯＳＤを重畳して表示することができるという効果がある。
【００３４】
実施の形態２．
この発明の実施の形態２では、先に説明したこの発明の実施の形態１の重なり度とエッジ検出度とともに、ＯＳＤ表示情報の優先度に基づいて、ＯＳＤ表示位置とする分割画面枠を決定するＯＳＤ表示位置決定システムの一例について説明する。
【００３５】
図５は、この発明の実施の形態２におけるＯＳＤ表示位置決定システムに係る構成の一例を示すブロック図である。この図５は、先に説明したこの発明の実施の形態１における図１のＯＳＤ情報管理部１０７ａとＯＳＤ表示位置決定部１０８ａのブロックをＯＳＤ情報管理部１０７ｂとＯＳＤ表示位置決定部１０８ｂのブロックに入れ替えたものである。なお、他のブロックについては、先に説明したこの発明の実施の形態１において説明した図１の同一名称・符号を付けたものと同様の機能、動作をするので説明を省略する。
【００３６】
図５において、ＯＳＤ情報管理部１０７ｂは、検知された異常等を通知されることで表示すべき情報（ＯＳＤ表示情報）およびそのＯＳＤ表示情報の重要度に基づく優先度を出力する。ＯＳＤ表示位置決定部１０８ｂは、黒レベル検出部１０５が算出した重なり度とエッジ検出部１０６が算出したエッジ検出度とＯＳＤ情報管理部１０７ｂが出力した優先度に基づいてＯＳＤ表示位置とする分割画面枠を決定する。
【００３７】
図６は、この発明の実施の形態２における受像画面を分割した分割画面枠とＯＳＤ表示情報の重要度に基づく優先度との対応の一例を示す説明図である。分割画面枠内の数字が枠番号を示す。また、分割画面枠内の高、中、低は、その分割画面枠内に表示するＯＳＤ表示情報の重要度に基づく優先度を示し、優先度が同一の分割画面枠がＯＳＤ表示情報の表示候補となり、重なり度とエッジ検出度による表示位置評価値に基づいて、そのうちの一つが選択される。
【００３８】
図７は、この発明の実施の形態２におけるＯＳＤ表示位置決定システムに係るＯＳＤ表示位置決定処理手順の一例を示すフローチャート図である。この図７を用いて、この発明の実施の形態２におけるＯＳＤ表示位置決定システムの詳細動作を説明する。なお、このフローチャート図の始点Ａと終点Ｂは、先に説明したこの発明の実施の形態１における図３のフローチャート図のＡ点とＢ点に対応し、ステップＳＴ２０９以降は同一手順を実行するものとする。また、この図７におけるステップＳＴ２０１からステップＳＴ２０７ａまでの手順は、先に説明したこの発明の実施の形態１において説明した図３の同一手順を付けたものと同様の動作をするので説明を省略する。
【００３９】
図７におけるステップＳＴ２０８ｂにおいて、ＯＳＤ表示位置決定部は、分割画面枠ｉ（１≦ｉ≦１２）の各表示位置評価値とＯＳＤ情報管理部が出力するＯＳＤ表示情報の優先度に基づいてＯＳＤ表示位置とする分割画面枠を決定する。なお、ＯＳＤ表示位置決定部は、分割画面枠に対応させるＯＳＤ表示情報の重要度に基づく優先度の情報を持っているものとする。
【００４０】
このように、この発明の実施の形態２では、先に説明したこの発明の実施の形態１と同様に、映像との重なり度を反映した位置にＯＳＤの表示位置を決定することができる効果がある。そして、分割画面枠の重なり度とエッジ検出度に基づき表示位置評価値を算出し、表示位置評価値が最小となる分割画面枠をＯＳＤ表示位置として決定するので、画面上に表示された映像に含まれる記号と重ならない位置にＯＳＤを重畳して表示することができるという効果がある。
【００４１】
また、この発明の実施の形態２では、分割画面枠に対応付けられた優先度とＯＳＤ表示情報の重要度に基づく優先度が一致する分割画面枠のみを候補としてＯＳＤ表示位置とする分割画面枠を決定するので、優先度に基づく適切な分割画面枠にＯＳＤを表示することができるという効果がある。
【００４２】
実施の形態３．
この発明の実施の形態３では、先に説明したこの発明の実施の形態２と同様に、重なり度とエッジ検出度と、ＯＳＤ表示情報の優先度とに基づいて、ＯＳＤ表示位置とする分割画面枠を決定するＯＳＤ表示位置決定システムの一例について説明する。
【００４３】
図８は、この発明の実施の形態３におけるＯＳＤ表示位置決定システムに係る構成の一例を示すブロック図である。この図８は、先に説明したこの発明の実施の形態１における図１のＯＳＤ情報管理部１０７ａと受像画面分割部１０４ａのブロックをＯＳＤ情報管理部１０７ｂと受像画面分割部１０４ｂのブロックに入れ替えたものである。なお、このＯＳＤ情報管理部１０７ｂは、先に説明したこの発明の実施の形態２における図５のＯＳＤ情報管理部１０７ｂと同様の機能、動作をするものであり、また他のブロックについては、先に説明したこの発明の実施の形態１において説明した図１の同一名称・符号を付けたものと同様の機能、動作をするので説明を省略する。
【００４４】
図８において、ＯＳＤ情報管理部１０７ｂは、検知された異常等を通知されることで表示すべき情報（ＯＳＤ表示情報）およびそのＯＳＤ表示情報の重要度に基づく優先度を出力する。ただし、この発明の実施の形態３では、先に説明したこの発明の実施の形態２のＯＳＤ情報管理部１０７ｂがＯＳＤ表示位置決定部１０８ｂにＯＳＤ表示情報の重要度に基づく優先度を出力していたのに対し、受像画面分割部１０４ｂに出力する。
【００４５】
ここで、受像画面分割部１０４ｂは、分割画面枠に対応させるＯＳＤ表示情報の重要度に基づく優先度の情報を持っているものとする。これにより、受像画面分割部１０４ｂは、ＯＳＤ情報管理部１０７ｂから受け取った優先度が一致する分割画面枠のみを候補として、受像画面に対する受像画面分割情報を出力する。
【００４６】
そして、ＯＳＤ表示位置決定部１０８ａは、あらかじめ受像画面分割部１０４ｂがＯＳＤ表示情報の優先度によって候補が絞られた分割画面枠に対して、黒レベル検出部１０５が算出した重なり度とエッジ検出部１０６が算出したエッジ検出度に基づいてＯＳＤ表示位置とする分割画面枠を決定する。なお、エッジ検出度の算出時の正規化は、ＯＳＤ情報管理部１０７ｂから受け取った優先度が一致する分割画面枠を対象に行えばよい。
【００４７】
図９は、この発明の実施の形態３におけるＯＳＤ表示位置決定システムに係るＯＳＤ表示位置決定処理手順の一例を示すフローチャート図である。この図９を用いて、この発明の実施の形態３におけるＯＳＤ表示位置決定システムの詳細動作を説明する。なお、このフローチャート図の始点Ａと終点Ｂは、先に説明したこの発明の実施の形態２における図７のフローチャート図のＡ点とＢ点に対応する。また、この図９におけるステップＳＴ２０１からステップＳＴ２０６までの手順は、挿入されたステップＳＴ２２１を除き、先に説明したこの発明の実施の形態２において説明した図７の同一手順を付けたものと同様の動作をするので説明を省略する。
【００４８】
図９におけるステップＳＴ２２１において、受像画面分割部はステップＳＴ２０４で重なり度とエッジ検出度を算出しようとする分割画面枠ｉに対応したＯＳＤ表示情報の優先度ＰｉがＯＳＤ情報管理部から受け取った優先度ＰＲと一致するか否かを判定し、一致したときのみステップＳＴ２０４による重なり度とエッジ検出度の算出を行い、一致しないときはステップＳＴ２０４をスキップして処理を行わない。
【００４９】
ステップＳＴ２０７ｂにおいて、ＯＳＤ表示位置決定部は、ＯＳＤ情報管理部が出力するＯＳＤ表示情報の優先度に基づいて受像画面分割部が指定した分割画面枠ｉと、その分割画面枠に対して算出された重なり度ｘ＿ｉと、ここで正規化したエッジ検出度ｙ＿ｉとに基づいて表示位置評価値をそれぞれ算出する。ステップＳＴ２０８ａにおいて、ＯＳＤ表示位置決定部は、算出した分割画面枠の各表示位置評価値に基づいてＯＳＤ表示位置とする分割画面枠を決定する。
【００５０】
このように、この発明の実施の形態３では、先に説明したこの発明の実施の形態１と同様に、映像との重なり度を反映した位置にＯＳＤの表示位置を決定することができる効果がある。そして、分割画面枠の重なり度とエッジ検出度に基づき表示位置評価値を算出し、表示位置評価値が最小となる分割画面枠をＯＳＤ表示位置として決定するので、画面上に表示された映像に含まれる記号と重ならない位置にＯＳＤを重畳して表示することができるという効果がある。
【００５１】
また、この発明の実施の形態３では、先に説明したこの発明の実施の形態２と同様に、分割画面枠に対応付けられた優先度とＯＳＤ表示情報の重要度に基づく優先度が一致する分割画面枠のみを候補としてＯＳＤ表示位置とする分割画面枠を決定するので、優先度に基づく適切な分割画面枠にＯＳＤを表示することができるという効果がある。
【００５２】
また、この発明の実施の形態３では、あらかじめＯＳＤ表示情報の優先度によって候補が絞られた分割画面枠に対して重なり度とエッジ検出度を算出して表示位置評価値を算出するので、重なり度とエッジ検出度の算出処理の負荷を軽減することができるという効果がある。
【００５３】
実施の形態４．
この発明の実施の形態４では、先に説明したこの発明の実施の形態２の重なり度とエッジ検出度と、ＯＳＤ表示情報の優先度とともに、ＯＳＤ表示位置の履歴とに基づいて、ＯＳＤ表示位置とする分割画面枠を決定するＯＳＤ表示位置決定システムの一例について説明する。
【００５４】
図１０は、この発明の実施の形態４におけるＯＳＤ表示位置決定システムに係る構成の一例を示すブロック図である。この図１０は、先に説明したこの発明の実施の形態２における図５のＯＳＤ情報管理部１０７ｂとＯＳＤ表示位置決定部１０８ｂのブロックをＯＳＤ情報管理部１０７ｃとＯＳＤ表示位置決定部１０８ｃのブロックに入れ替えたものである。なお、他のブロックについては、先に説明したこの発明の実施の形態２において説明した図５の同一名称・符号を付けたものと同様の機能、動作をするので説明を省略する。
【００５５】
図１０において、ＯＳＤ情報管理部１０７ｃは、検知された異常等を通知されることで表示すべき情報（ＯＳＤ表示情報）、そのＯＳＤ表示情報の重要度に基づく優先度および表示位置の履歴を出力する。ＯＳＤ表示位置決定部１０８ｃは、黒レベル検出部１０５が算出した重なり度とエッジ検出部１０６が算出したエッジ検出度とＯＳＤ情報管理部１０７ｂが出力した優先度およびＯＳＤの表示位置の履歴に基づいて映像に含まれる記号と重ならないＯＳＤ表示位置とする分割画面枠を決定する。
【００５６】
図１１は、この発明の実施の形態４における受像画面を分割した分割画面枠とＯＳＤ表示情報の重要度に基づく優先度との対応の一例を示す説明図である。分割画面枠内の数字が枠番号を示す。また、先に説明したこの発明の実施の形態２における図６と同様に、分割画面枠内の高、中、低は、その分割画面枠内に表示するＯＳＤ表示情報の重要度に基づく優先度を示し、優先度が同一の分割画面枠がＯＳＤ表示情報の表示候補となり、重なり度とエッジ検出度による表示位置評価値に基づいて、そのうちの一つが選択される。
【００５７】
ＯＳＤ表示位置決定部は、同一レベルのＯＳＤ表示情報の優先度を持つ、破線で囲んだ範囲で示される分割画面枠のグループにおいて、ＯＳＤ表示位置決定部は、例えば表示位置評価値に基づいたＯＳＤ表示位置としての分割画面枠が、ＯＳＤの表示位置の履歴に基づくＯＳＤ表示位置の分割画面枠と同一グループにあるとき、ＯＳＤの表示位置の履歴に基づくＯＳＤ表示位置を選択する。なお、図１１に示すように、同一レベルのＯＳＤ表示情報の優先度を持つ分割画面枠であっても異なるグループに分類してもよい。また、算出した表示位置評価値に基づく分割画面枠を選択せず、ＯＳＤの表示位置の履歴に基づくＯＳＤ表示位置の分割画面枠を選択する遷移処理の適用は、分割画面枠１、５、９のように三つ以上の分割画面枠が同一グループに含まれるとき、遷移範囲を隣接の矢印で結んだ分割画面枠に限ってもよい。ＯＳＤの表示位置の履歴は、例えば、ＯＳＤ表示情報が所定の時間経過しても発生せずに処理されないとき、あるいはＯＳＤ表示情報の優先度の異なるＯＳＤを処理するとき、再度初期状態に戻しても構わない。また、テーブルを用いてＯＳＤ表示情報の優先度ごとにＯＳＤの表示位置の履歴管理を行ってもよい。
【００５８】
図１２は、この発明の実施の形態４におけるＯＳＤ表示位置決定システムに係るＯＳＤ表示位置決定処理手順の一例を示すフローチャート図である。この図１２を用いて、この発明の実施の形態４におけるＯＳＤ表示位置決定システムの詳細動作を説明する。なお、このフローチャート図の始点Ａと終点Ｂは、先に説明したこの発明の実施の形態１における図３のフローチャート図のＡ点とＢ点に対応し、ステップＳＴ２０９以降は同一手順を実行するものとする。また、この図１２におけるステップＳＴ２０１からステップＳＴ２０７ａまでの手順は、先に説明したこの発明の実施の形態１において説明した図３の同一手順を付けたものと同様の動作をするので説明を省略する。
【００５９】
図１２におけるステップＳＴ２０８ｃにおいて、ＯＳＤ表示位置決定部は、分割画面枠の各表示位置評価値とＯＳＤの表示位置の履歴に基づいてＯＳＤ表示位置とする分割画面枠を決定する。ステップＳＴ２３１において、ＯＳＤの表示位置の履歴をこの決定された分割画面枠に更新する。
【００６０】
なお、この発明の実施の形態４において、各分割画面枠に対応付けられた優先度を適用せずに、すべての分割画面枠を一つのグループとして扱い、ＯＳＤの表示位置の履歴に基づいて隣接する分割画面枠に遷移してＯＳＤ表示位置とする分割画面枠を決定するようにしてもよい。
【００６１】
また、この発明の実施の形態４においても、先に説明したこの発明の実施の形態３と同様に、ＯＳＤ情報管理部のＯＳＤ表示情報の優先度の出力対象をＯＳＤ表示位置決定部から受像画面分割部とする構成を採り、あらかじめＯＳＤ表示情報の優先度によって候補が絞られた分割画面枠に対して重なり度とエッジ検出度を算出して表示位置評価値を算出するようにしてもよい。
【００６２】
このように、この発明の実施の形態４では、先に説明したこの発明の実施の形態１と同様に、映像との重なり度を反映した位置にＯＳＤの表示位置を決定することができる効果がある。そして、分割画面枠の重なり度とエッジ検出度に基づき表示位置評価値を算出し、表示位置評価値が最小となる分割画面枠をＯＳＤ表示位置とする分割画面枠として決定するので、画面上に表示された映像に含まれる記号と重ならない位置にＯＳＤを重畳して表示することができるという効果がある。
【００６３】
また、この発明の実施の形態４では、先に説明したこの発明の実施の形態２と同様に、分割画面枠に対応付けられた優先度とＯＳＤ表示情報の重要度に基づく優先度が一致する分割画面枠のみを候補としてＯＳＤ表示位置とする分割画面枠を決定するので、優先度に基づく適切な分割画面枠にＯＳＤを表示することができるという効果がある。
【００６４】
また、この発明の実施の形態４では、同一レベルのＯＳＤ表示情報の優先度を持つ分割画面枠のグループ内において、ＯＳＤ表示位置とする分割画面枠を遷移できるようにして決定するので、ＯＳＤ表示位置が頻繁に変動しないようにできるという効果がある。
【００６５】
なお、この発明の実施の形態１から実施の形態４では、ＯＳＤを分割表示枠に対応させて表示するものとして説明したが、特に重要なＯＳＤ表示情報は分割画面枠に捉われず映像画面の中央に配置するようにしてもよい。
【００６６】
以上のように、この発明の実施の形態１から実施の形態４において説明したようなＯＳＤ表示位置決定システムを適用することによって、画面上に表示された映像に含まれる記号と重ならない位置にＯＳＤを重畳して表示することができるデジタルテレビ受信機を得ることができる。
【図面の簡単な説明】
【００６７】
【図１】この発明の実施の形態１におけるＯＳＤ表示位置決定システムに係る構成の一例を示すブロック図である。
【図２】この発明の実施の形態１における受像画面を分割した分割画面枠の一例とＯＳＤ表示の概念を示す説明図である。
【図３】この発明の実施の形態１におけるＯＳＤ表示位置決定システムに係るＯＳＤ表示位置決定処理手順の一例を示すフローチャート図である。
【図４】８×８サイズのＤＣＴブロックと参照する高周波数成分の例を示す説明図である。
【図５】この発明の実施の形態２におけるＯＳＤ表示位置決定システムに係る構成の一例を示すブロック図である。
【図６】この発明の実施の形態２における受像画面を分割した分割画面枠とＯＳＤ表示情報の重要度に基づく優先度との対応の一例を示す説明図である。
【図７】この発明の実施の形態２におけるＯＳＤ表示位置決定システムに係るＯＳＤ表示位置判定処理手順の一例を示すフローチャート図である。
【図８】この発明の実施の形態３におけるＯＳＤ表示位置決定システムに係る構成の一例を示すブロック図である。
【図９】この発明の実施の形態３におけるＯＳＤ表示位置決定システムに係るＯＳＤ表示位置判定処理手順の一例を示すフローチャート図である。
【図１０】この発明の実施の形態４におけるＯＳＤ表示位置決定システムに係る構成の一例を示すブロック図である。
【図１１】この発明の実施の形態４における受像画面を分割した分割画面枠と優先度と遷移可能範囲の一例を示す説明図である。
【図１２】この発明の実施の形態４におけるＯＳＤ表示位置決定システムに係るＯＳＤ表示位置判定処理手順の一例を示すフローチャート図である。
【符号の説明】
【００６８】
１０１  ビデオレコーダ
１０２  フレームバッファ
１０３  バッファ
１０４ａ、１０４ｂ  受像画面分割部（ＯＳＤ表示枠候補出力部）
１０５  黒レベル検出部
１０６  エッジ検出部
１０７ａ、１０７ｂ、１０７ｃ  ＯＳＤ情報管理部
１０８ａ、１０８ｂ、１０８ｃ  ＯＳＤ表示位置決定部
１０９  ＧＵＩ処理部
１１０  グラフィックス処理部
１１１  ＯＳＤ合成部
２０１  合成部
【図１】
2009171300.tif 000004
【図２】
2009171300.tif 000005
【図３】
2009171300.tif 000006
【図４】
2009171300.tif 000007
【図５】
2009171300.tif 000008
【図６】
2009171300.tif 000009
【図７】
2009171300.tif 000010
【図８】
2009171300.tif 000011
【図９】
2009171300.tif 000012
【図１０】
2009171300.tif 000013
【図１１】
2009171300.tif 000014
【図１２】
2009171300.tif 000015